(57)【要約】【課題】安定してキー操作ができるように、キー部材の安定的な押下げ構造を採用した、入力装置および入力装置におけるキースイッチを提供する。【解決手段】押込み操作されるキー部材１１と、キー部材１１を復元する方向に付勢する復元部１２を介して押込み操作可能に支持する筐体１３と、筐体１３にキー部材１１を押込み操作される方向に対して、キー部材１１の押込み操作面１１ｔが一定角度を維持する状態で摺動案内する摺動案内部１４と、を備える。【選択図】図３
2013077528.tif 000002
【特許請求の範囲】
【請求項１】
キースイッチであって、
押込み操作される押込み操作面を有するキー部材と、
該キー部材を初期位置に復帰させる復元部と、
該キー部材を該復元部の反発の下で押込み操作可能に支持すると共に、前記キー部材の側面を摺動可能に支持する筐体と、
前記キー部材の前記側面と前記筐体との間に設けられ、前記キー部材の前記押込み操作面が、押込み操作方向に対して、一定角度を維持する状態で、前記キー部材を摺動式に案内する摺動案内部と、
を備えたことを特徴とするキースイッチ。
【請求項２】
前記摺動案内部は、前記キー部材の互いに反対側の両側面に対向するように前記筐体に配設された筐体側摺動案内部材と、該筐体側摺動案内部材と係合可能に前記キー部材の前記両側面に付設されるキー部材側摺動案内部材とを備えて、前記キー部材を押込み方向に沿って往復動可能に案内し、
前記筐体側摺動案内部材および前記キー部材側摺動案内部材には、いずれか一方に前記キー部材の押込み方向に延在するリブと、いずれか他方に前記リブを往復動可能に受容する案内溝とが設けられている、請求項１に記載のキースイッチ。
【請求項３】
前記キー部材側摺動案内部材は、前記キー部材の前記両側面を含む外周全体を取り囲むように設けられている請求項２に記載のキースイッチ。
【請求項４】
前記筐体側摺動案内部材は、前記キー部材側摺動案内部材を取り囲むように設けられている請求項３に記載のキースイッチ。
【請求項５】
前記復元部は、前記キー部材の押込み方向筐体底部側に配置されている請求項１に記載のキースイッチ。
【請求項６】
前記キー部材は、キャップ状部材で構成されている請求項１から５のいずれか１項に記載のキースイッチ。
【請求項７】
前記キー部材を前記摺動案内部と共に一定角度を維持する状態で案内する一対のギヤリンクを具備する請求項５に記載のキースイッチ。
【請求項８】
複数のキースイッチを筐体に配設した入力装置において、
前記キースイッチは、押込み操作される押込み操作面を有するキー部材と、
該キー部材を初期位置に復帰させる復元部と、
該キー部材を該復元部の反発の下で押込み操作可能に支持すると共に、前記キー部材の側面を摺動可能に支持する筐体と、
前記キー部材の前記側面と前記筐体との間に設けられ、前記キー部材の前記押込み操作面が、押込み操作方向に対して、一定角度を維持する状態で、前記キー部材を摺動式に案内する摺動案内部と、
を備えたことを特徴とする入力装置。
【請求項９】
前記摺動案内部は、前記キー部材の互いに反対側の両側面に対向するように前記筐体に配設された、筐体側摺動案内部材と、該筐体側摺動案内部材と係合可能に、前記キー部材の前記両側面に付設されるキー部材側摺動案内部材とを備えて、前記キー部材を押込み方向に沿って往復動可能に案内し、
前記筐体側摺動案内部材および前記キー部材側摺動案内部材には、いずれか一方に前記キー部材の押込み方向に延在するリブと、いずれか他方に前記リブを往復動可能に受容する案内溝とが設けられている、請求項８に記載の入力装置。
【請求項１０】
前記キー部材側摺動案内部材は、前記キー部材の前記両側面を含む外周全体を取り囲むように設けられている請求項９に記載の入力装置。
【請求項１１】
前記筐体側摺動案内部材は、前記キー部材側摺動案内部材を取り囲むように設けられている請求項１０に記載の入力装置。
【請求項１２】
前記復元部は、前記キー部材の押込み方向筐体底部側に配置されている請求項８に記載の入力装置。
【請求項１３】
前記キー部材は、キャップ状部材で構成されている請求項８から１２のいずれか１項に記載の入力装置。
【請求項１４】
前記キー部材を前記摺動案内部と共に一定角度を維持する状態で案内する一対のギヤリンクを具備する請求項１２に記載の入力装置。
【発明の詳細な説明】
【技術分野】
【０００１】
本発明は、入力装置および入力装置におけるキースイッチに関するものである。
【背景技術】
【０００２】
ノート型のパーソナルコンピュータのキーボードに搭載されるキースイッチとしては、第１のリンクと第２のリンクとがそれぞれの腕部の先端で互いに噛合して逆Ｖ字状に配されてなるリンク機構によって、キー部材を支持する構成としているものがある（例えば特許文献１参照）。
【０００３】
また、例えば機器操作のための操作指令を出すリモコンに搭載されるスイッチ（押しボタンスイッチ等）において、キー部材の頂部が長方形状のものであって、筐体に１本の揺動型の金属リンクを介して連結されると共に、筐体底部に配置された弾性復元部材により、キー部材の頂部が筐体上面から突没可能に支持されたものが知られている。
金属リンクの存在により、キー部材の頂部の左右隅などの片寄った箇所を押しても、キー部材全体を筐体に対し傾きを生ずることなく押し下げることができる。
【先行技術文献】
【特許文献】
【０００４】
【特許文献１】特開２００６−３３２０７２号公報
【発明の概要】
【発明が解決しようとする課題】
【０００５】
キースイッチにおいて、キー部材の形状に関わらず、押込み操作面の中心から片寄った部位を押込み操作しても、キー部材を傾けることなく、押し込むことができるようにすることが望まれている。
【課題を解決するための手段】
【０００６】
本発明の一態様では、キースイッチであって、押込み操作される押込み操作面を有するキー部材と、キー部材を初期位置に復帰させる復元部と、キー部材を復元部の反発の下で押込み操作可能に支持すると共に、キー部材の側面を摺動可能に支持する筐体と、キー部材の側面と筐体との間に設けられ、キー部材の押込み操作面が、押込み操作方向に対して、一定角度を維持する状態で、キー部材を摺動式に案内する摺動案内部と、を備えたことを特徴とする。
【０００７】
これにより、キー部材の押込み操作面の中心から片寄った部位を押込み操作しても、キー部材は、摺動案内部によって押込み操作面が、押込み操作方向に対して一定角度を維持する状態で押し込まれる。
【０００８】
上記構成において、摺動案内部は、キー部材の互いに反対側の両側面に対向するように筐体に配設された、筐体側摺動案内部材と、筐体側摺動案内部材と係合可能に、キー部材の両側面に付設されるキー部材側摺動案内部材とを備えることができ、キー部材を押込み方向に沿って往復動可能に案内し、筐体側摺動案内部材およびキー部材側摺動案内部材には、いずれか一方にキー部材の押込み方向に延在するリブと、いずれか他方にリブを往復動可能に受容する案内溝とを設けることができる。
【０００９】
キー部材側摺動案内部材は、キー部材の両側面を含む外周全体を取り囲むように設けることができる。
【００１０】
筐体側摺動案内部材は、キー部材側摺動案内部材を取り囲むように設けることができる。
【００１１】
復元部は、キー部材の押込み方向筐体底部側に配置することができる。
【００１２】
キー部材は、キャップ状部材で構成することができる。
【００１３】
キー部材を摺動案内部と共に一定角度を維持する状態で案内する一対のギヤリンクを具備することができる。
【００１４】
本発明の他の態様では、複数のキースイッチを筐体に配設した入力装置において、キースイッチは、押込み操作される押込み操作面を有するキー部材と、キー部材を初期位置に復帰させる復元部と、キー部材を復元部の反発の下で押込み操作可能に支持すると共に、キー部材の側面を摺動可能に支持する筐体と、キー部材の側面と筐体との間に設けられ、キー部材の押込み操作面が、押込み操作方向に対して、一定角度を維持する状態で、キー部材を摺動式に案内する摺動案内部と、を備えたことを特徴とする。
【００１５】
これにより、個々のキースイッチが、キー部材の押込み操作面の中心から片寄った部位を押込み操作されても、キー部材は、摺動案内部によって押込み操作面が一定角度を維持する状態で押し込まれるという操作特性を有するので、入力装置として全体が、安定した操作応答性を発揮することができる。
【発明の効果】
【００１６】
本発明によれば、キースイッチにおいて、キー部材の形状に関わらず、押込み操作面の中心から片寄った部位を押込み操作しても、キー部材を傾けることなく、押し込むことができ、操作性のよい、安定した操作感をもたらすキースイッチを実現することができる。
【図面の簡単な説明】
【００１７】
【図１】入力装置の一例を模式的に示す平面図である。
【図２】キースイッチの第１実施形態を模式的に示す断面図である。
【図３】図２のＩＩＩ−ＩＩＩ線に沿った断面図である。
【図４】キースイッチの第２実施形態を模式的に示す断面図である。
【図５】キースイッチの第３実施形態を模式的に示す断面図である。
【図６】キースイッチの第４実施形態を模式的に示す断面図である。
【図７】キースイッチの第５実施形態を模式的に示す断面図である。
【図８】図７のＶＩＩＩ−ＶＩＩＩ線に沿った断面図である。
【図９】図８に示すキースイッチの復元部およびギヤリンクの斜視図である。
【発明を実施するための形態】
【００１８】
以下、本発明の種々の実施形態を、添付図に基づいて詳細に説明する。
【００１９】
図１に、入力装置Ｓ（例えばパソコン等、情報端末のキーボード）の一例を示す。入力装置Ｓには、複数のキースイッチ１０が搭載される。
図２及び図３にこのキースイッチ１０の１ユニットの第１実施形態を模式的に示す。
キースイッチ１０は、押込み操作される押込み操作面を有するキー部材１１と、キー部材１１を初期位置に復帰させる復元部１２と、キー部材１１を復元部１２の反発の下で押込み操作可能に支持すると共に、キー部材１１の側面１１ｓを摺動可能に支持する筐体１３と、キー部材１１の側面１１ｓと筐体１３との間に設けられ、キー部材１１の押込み操作面１１ｔが、押込み操作方向に対して、一定角度を維持する状態で、キー部材１１を摺動式に案内する摺動案内部１４と、を備えたものである。
【００２０】
筐体１３は、所定数のキースイッチ１０が所定位置に、キー部材１１の押込み操作面１１ｔが上部筐体１３ａから突出するようにキー部材１１を収容する内部空間を有する。
上部筐体１３ａには、キースイッチ１０の配置位置に、キー部材１１の押込み操作面１１ｔが上部筐体１３ａから突出するように開口部１５が形成される。
また、筐体１３内のキースイッチ１０の配置位置の底部には、開口部１５に合わせて後述する復元部１２が配置される。
さらに、上部筐体１３ａの内側下面には、開口部１５を挟んで、鉛直方向に垂下する一対の区画枠１６と、各区画枠１６の内側に一定間隔を空けて、後述する筐体側摺動案内部材を位置決め配置するための位置決め板１７とが、上部筐体１３ａと一体的に設けられている。
【００２１】
キー部材１１は、軟質で、弾性に富む例えばシリコーンゴムによって構成することができる。キー部材１１は、図示しているように、キー部材１１の形状が略長方形状となっており、また、キー部材１１の中間位置から筐体１３の底部寄りの位置にかけて、後述するキー部材側摺動案内部材と係合させるための第１、第２段部１１ｄ、ｅが形成されている。これら第１、第２段部１１ｄ、ｅは、キー部材１１の長手側両側面に亘って、それぞれ一定幅の寸法に形成されている。
そして、キー部材１１の筐体１３の底部寄りの位置には、キー部材１１と一体的に連なり、キー部材１１を支持する復元部１２が配設されている。復元部１２は、キー部材１１と一体的に構成されている。勿論、キー部材１１とは、別構成のものであってもよい。ここでの復元部１２は、筐体１３の底部にあって、上部筐体１３ａから垂下された双方の区画枠１６の下方に配置されるベース部１２ｂと、ベース部１２ｂから、斜め上方に突出するバネ支柱部１２ｓと、バネ支柱部１２ｓにより支持されたキー部材１１の基部としての復元上部１２ｔとを有している。
復元上部１２ｔと筐体１３の底部との間に第１の空間が設けられると共に、復元上部１２ｔ及びバネ支柱部１２ｓの外面の外側に第２の空間が設けられ、キー部材１１の押込み操作によって、復元上部１２ｔが筐体１３の底部に接すると共に、バネ支柱部１２ｓをバネ支柱部１２ｓの復元力に抗して第２の空間に向けて変形屈曲させる構成である。
さらに、復元上部１２ｔ直下の筐体１３の底部には、図示は省略するが、例えば電気的接点を有するシート状スイッチ、すなわち、２枚のフィルム状回路基板に担持されて対向配置される一対の導通接点からなるメンブレンスイッチが配設されている。
なお、図３においては、キー部材１１は、中実状で復元部１２と一体構成のものとして示されているが、キー部材１１は、二点鎖線で示すように中空のキャップ状の素材として構成してもよい。これによりキー部材１１の材料費を削減することができ、複数のキー部材１１を搭載する入力装置Ｓ全体の軽量化が図られる。
【００２２】
キースイッチ１０の摺動案内部１４は、筐体１３とキー部材１１との間に介在されるもので、キー部材１１の互いに反対側の両側面に対向するように筐体１３に配設された、筐体側摺動案内部材２０と、筐体側摺動案内部材２０と係合可能に、キー部材１１の両側面に付設されて、キー部材１１を押込み方向に沿って往復動可能に案内するキー部材側摺動案内部材２１とを備えている。
【００２３】
筐体側摺動案内部材２０は、筐体１３内の空間において、互いに対向する区画枠１６に隣接する位置決め板１７と、各区画枠１６の中央に、キー部材１１に向けて突設した突枠１６ａとを位置決め手段として、キー部材１１の互いに反対側の両側面に対向するように配設されている。
筐体側摺動案内部材２０は、筐体１３の底部に配置される復元部１２のベース部１２ｂの上方に位置して、位置決め板１７を挟む外側案内部材２０ａと内側案内部材２０ｂとを有する。外側案内部材２０ａは、区画枠１６に当接しており、且つ区画枠１６の突枠１６ａに当接している。内側案内部材２０ｂは、後述するキー部材側摺動案内部材２１に接している。
【００２４】
キー部材側摺動案内部材２１は、上述のキー部材１１における中間位置から復元部１２寄りの第１、第２段部１１ｄ、ｅを介して係合当接し、一体的に連動するようにキー部材１１と接着している。なお、前述の筐体側摺動案内部材２０は、例えばＰＯＭ樹脂を用いて作製することができる。キー部材側摺動案内部材２１は、例えばＡＢＳ樹脂、あるいは、ＰＣ（ポリカーボネート）樹脂を用いて作製することができる。また、筐体側摺動案内部材２０とキー部材側摺動案内部材２１の樹脂は異種材を使用し、互いの樹脂に対して摩擦係数の少ない樹脂を選択する。
筐体側摺動案内部材２０およびキー部材側摺動案内部材２１は、キー部材側摺動案内部材２１に設けた、キー部材１１の押込み方向、筐体１３底部側に向かって延在するリブ２１ａが、筐体側摺動案内部材２０における内側案内部材２０ｂに設けた案内溝２０ｃに、上下方向に案内昇降可能に嵌入されて構成されている。さらに、内側案内部材２０ｂとキー部材側摺動案内部材２１とは、キー部材側摺動案内部材２１の長手方向の両端部近傍の位置に設けた摺動突起２１ｂを以って接触している。摺動突起２１ｂによって、内側案内部材２０ｂとキー部材側摺動案内部材２１との間に微小な隙間が生じ、内側案内部材２０ｂとキー部材側摺動案内部材２１との間の接触抵抗を抑制して、キー部材側摺動案内部材２１の昇降動作を円滑なものとしている。
【００２５】
次に、以上のように構成されるキースイッチ１０について、キー操作時の動作、作用を説明する。
操作者がキー部材１１の押込み操作面１１ｔを押込んでいくと、キー部材１１の押込み操作面１１ｔは上部筐体１３ａの開口部１５を介して筐体１３内に下降せしめられる。
そうすると、キー部材１１は、一体的に接着されたキー部材側摺動案内部材２１に設けた、キー部材１１の押込み方向、すなわち、筐体１３底部側に向かうリブ２１ａが、筐体側摺動案内部材２０における内側案内部材２０ｂに設けた案内溝２０ｃに沿って摺動する。また、内側案内部材２０ｂとキー部材側摺動案内部材２１における摺動突起２１ｂが摺動する。これにより、キー部材１１は、復元部１２のバネ支柱部１２ｓの復元力に抗して、一体的に接着されたキー部材側摺動案内部材２１と共に下降する。すると、バネ支柱部１２ｓは、復元上部１２ｔ及びバネ支柱部１２ｓの外面の外側の第２空間に向けて変形屈曲し、復元上部１２ｔが筐体１３の底部に設けられたメンブレンスイッチを押圧して閉成することができる。
【００２６】
この際、キー部材１１は、長手側側面にキー部材側摺動案内部材２１が一体的に接着され、キー部材側摺動案内部材２１が筐体側摺動案内部材２０における内側案内部材２０ｂと摺動突起２１ｂを介して接触しており、しかも、キー部材側摺動案内部材２１に設けたリブ２１ａが、内側案内部材２０ｂに設けた押込み方向の案内溝２０ｃを摺動するので、キー部材１１は、押込み方向に沿う軸方向に対して傾きを生ずることなく、円滑に昇降することができるのである。
すなわち、リブ２１ａと案内溝２０ｃの左右の隙間で、キー部材１１を押込むときにキー部材１１の長手方向の傾きを規制することができる。一方、内側案内部材２０ｂと摺動突起２１ｂとの隙間でキー部材１１を押込むときにキー部材１１の短手方向の傾きを規制することができる。
このように、キー部材１１は、押込み方向に沿う軸方向以外は、動きが規制されているので、キー部材１１のキートップのいずれの箇所を押込んでも、押込み力により、キー部材１１は、押込み方向に沿う軸方向に対して傾きを生ずることなく、昇降することができ、押込み操作面が傾斜するというようなことはない。
【００２７】
図４は、第２実施形態に係るキースイッチ３０を模式的に示す。
キースイッチ３０は、実質的な構成は、第１実施形態のキースイッチ１０と同じであり、一部相違しているだけである。キースイッチ３０は以下、相違点のみを説明し、その他重複する構成要素については、同符号を付して、その説明を省略する。
【００２８】
キースイッチ３０では、キー部材１１に対し、摺動案内部１４におけるキー部材側摺動案内部材３１は、キー部材１１外周全体を筒状に取り囲み、キー部材１１の外周部１１ｒに一体的に接着している。このキー部材側摺動案内部材３１においても、キー部材１１の押込み方向、筐体１３底部側に向かって延在するリブ３１ａが、筐体側摺動案内部材２０における内側案内部材２０ｂに設けた案内溝２０ｃに上下方向に案内昇降可能に嵌入している。
【００２９】
このようなキースイッチ３０によれば、キー部材１１外周に、キー部材側摺動案内部材３１が一体的に接着されているので、構造がより単純化し、キー部材１１は、押込み方向に沿う軸方向に対して傾きを生ずることなく昇降することができ、押込み操作面が傾斜するというようなことはない。
【００３０】
図５は、第３実施形態によるキースイッチ４０を示す。
キースイッチ４０においては、摺動案内部１４におけるキー部材側摺動案内部材４１が、キー部材１１外周全体を筒状に取り囲み、さらに、キー部材側摺動案内部材４１の外周部４１ｒを、筐体側摺動案内部材２０の内側案内部材４２が筒状に取り囲む構成としている。このキー部材側摺動案内部材４１においても、キー部材１１の押込み方向、筐体１３底部側に向かって延在するリブ４１ａが、筐体側摺動案内部材２０における内側案内部材４２に設けた案内溝２０ｃに上下方向に案内昇降可能に嵌入しており、また、キー部材側摺動案内部材４１および内側案内部材４２とは、キー部材側摺動案内部材４１の長手方向の両端部近傍の位置に設けた摺動突起４１ｂを以って接触している。
【００３１】
キースイッチ４０によれば、摺動案内部１４におけるキー部材側摺動案内部材４１が、キー部材１１外周全体を筒状に取り囲み、さらに、キー部材側摺動案内部材４１の外周部４１ｒを、筐体側摺動案内部材２０の内側案内部材４２が筒状に取り囲む構造であるので、構造がより単純化する。
【００３２】
図６は、第４実施形態によるキースイッチ５０を示す。
キースイッチ５０では、図５に示すキースイッチ４０におけるキー部材１１外周全体を筒状に取り囲むキー部材側摺動案内部材４１および筐体側摺動案内部材２０の内側案内部材４２において、キー部材側摺動案内部材４１と内側案内部材４２とが、キー部材側摺動案内部材４１に一対のリブ５０ａ、５０ｂが形成され、これらリブ５０ａ、５０ｂに対応して、筐体側摺動案内部材２０における内側案内部材４２に一対の案内溝５１ａ、５１ｂが形成された構成としている。
【００３３】
キースイッチ５０では、キー部材側摺動案内部材４１に設けた一対のリブ５０ａ、５０ｂが、筐体側摺動案内部材２０における内側案内部材４２に設けた一対の案内溝５１ａ、５１ｂを摺動するので、キー部材１１は、押込み方向に沿う軸方向に対して傾きを生ずることなく、一層安定して昇降させることができるのである。
【００３４】
図７、図８は、ノートパソコンのキーボードに搭載した、第５実施形態によるキースイッチ６０を示す。
キースイッチ６０においても、キーボードの筐体１３に、上部筐体１３ａの下方に垂下する区画枠１６で、長方形状に囲って、１ユニットの位置を決定し、この区画枠１６内に長方形状のキー部材１１を、摺動案内部１４に沿って、いわゆるギヤリンクの案内作用及び復元部６１の復元力の作用下に、上部筐体１３ａから突出退動可能に構成している。
キー部材１１は、長方形状の蓋状のもので、裏面に後述する復元部６１を直結している。
キースイッチ６０においては、摺動案内部１４は、キー部材１１の長辺側に突設された一対のリブ６２ａ、６２ｂを、筐体側摺動案内部材２０における内側案内部材２０ｂに設けた一対の案内溝６３ａ、６３ｂに沿って、キー部材１１を上下に摺動させる構成である。
【００３５】
キースイッチ６０は、復元位置を互いの先端部が噛合いつつ三角頂点状に起伏する一対のギヤリンク６４ａ、６４ｂと、一対のギヤリンク６４ａ、６４ｂを介してキー部材１１に復元力を付勢する復元部６１（以下、弾性ドーム状部材６１）とを具備する（図９参照）。
【００３６】
このようなギヤリンク６４ａ、６４ｂ及び弾性ドーム状部材６１を用いたことにより、弾性ドーム状部材６１を長方形状の蓋状のキー部材１１の裏面に直結した構造として、キー部材１１の高さを抑えたものとすることができる。しかも、キー部材１１の長辺側に突設された一対のリブ６２ａ、６２ｂを、筐体側摺動案内部材２０における内側案内部材２０ｂに設けた一対の案内溝６３ａ、６３ｂに沿って、キー部材１１を上下に摺動させる構造であるので、キー部材１１は、押込み方向に沿う軸方向に対し傾きを生ずることなく、一層安定して、上部筐体１３ａから突出退動することができる。
【符号の説明】
【００３７】
１０    キースイッチ
１１    キー部材
１１ｓ    側面
１１ｔ    押込み操作面
１１ｄ    第１段部
１１ｅ    第２段部
１１ｒ    外周部
１２    復元部
１２ｂ    ベース部
１２ｓ    バネ支柱部
１２ｔ    復元上部
１３    筐体
１３ａ    上部筐体
１４    摺動案内部
１５    開口部
１６    区画枠
１７    位置決め板
２０    筐体側摺動案内部材
２０ａ    外側案内部材
２０ｂ    内側案内部材
２０ｃ    案内溝
２１    キー部材側摺動案内部材
２１ａ    リブ
２１ｂ    摺動突起
３０    キースイッチ
３１    キー部材側摺動案内部材
４０    キースイッチ
４１    キー部材側摺動案内部材
４１ａ    リブ
４１ｒ    外周部
４２    内側案内部材
５０    キースイッチ
５０ａ、５０ｂ    リブ
５１ａ、５１ｂ    案内溝
６０    キースイッチ
６１    弾性ドーム状部材
６２ａ、６２ｂ    リブ
６３ａ、６３ｂ    案内溝
６４ａ、６４ｂ    ギヤリンク
Ｓ    入力装置
【図１】
2013077528.tif 000003
【図２】
2013077528.tif 000004
【図３】
2013077528.tif 000005
【図４】
2013077528.tif 000006
【図５】
2013077528.tif 000007
【図６】
2013077528.tif 000008
【図７】
2013077528.tif 000009
【図８】
2013077528.tif 000010
【図９】
2013077528.tif 000011